【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
観察対象である試料に蛍光色素を導入し、光学系に配置して、蛍光色素を励起する励起光を試料に照射し、該励起光によって励起されて発される蛍光を蛍光撮像部で受光して蛍光像を結像する蛍光観察、及び、
試料の裏面側から透過照明光を照射し、光学系に配置された明視野撮像部で明視野像を結像する明視野観察
が可能な蛍光顕微鏡であって、
試料に落射照明光を照射するための落射光源と、
光路上に配置され、光路に対して挿抜可能なフィルタ部であって、落射光を励起光とするための励起フィルタと、該励起光によって励起されて発される蛍光を透過させつつ励起光をカットする吸収フィルタを備えるフィルタ部と、
前記落射光源により得られる励起光で励起された試料の蛍光を受光するための蛍光撮像部と、
前記蛍光撮像部の前面に配置され、Ｒ、Ｇ、Ｂのいずれかの成分を透過するフィルタ光、若しくはフィルタを介さない透過光とを切り替え可能なカラーフィルタと、
試料を載置する試料台と、
光路上であって試料と対向して配置される対物レンズと、
試料台の裏面側に配置され、試料に対し裏面側から透過照明光を照射するための透過光源と、
前記透過光源からの透過照明光で試料の裏側から照明した明視野像を取得するための明視野撮像部と、
前記透過光源からの透過照明光を消灯若しくは遮断し、前記フィルタ部を光路上に挿入し、前記カラーフィルタで透過光に切り替えて、前記落射光源からの落射照明光を照射して蛍光撮像部によりモノクロ画像を観察可能な蛍光観察モードと、
一方前記透過光源から透過照明光を照射し、前記落射光源からの落射光を消灯若しくは遮断し、前記フィルタ部を光路上から退避し、前記カラーフィルタでＲ、Ｇ、Ｂフィルタ光を順次切り替えて、蛍光撮像部により撮像されたＲ、Ｇ、Ｂ画像を合成しつつ、前記明視野撮像部で明視野像を取得する明視野観察モードと
を切り替え可能な観察モード切替手段と、
前記観察モード切替手段で切り替えられた観察モードに従い、選択された観察モードに応じた撮像条件を設定する観察条件設定手段と、
を備えることを特徴とする蛍光顕微鏡。
【請求項２】
観察対象である試料に蛍光色素を導入し、光学系に配置して、蛍光色素を励起する励起光を試料に照射し、該励起光によって励起されて発される蛍光を蛍光撮像部で受光して蛍光像を結像する蛍光観察、及び、
試料の裏面側から透過照明光を照射し、光学系に配置された明視野撮像部で明視野像を結像する明視野観察
が可能な蛍光顕微鏡であって、
試料に落射照明光を照射するための落射光源と、
前記落射光源の落射照明光を遮断／透過させるための落射光シャッタと、
光路上に配置され、光路に対して挿抜可能なフィルタ部であって、落射光を励起光とするための励起フィルタと、該励起光によって励起されて発される蛍光を透過させつつ励起光をカットする吸収フィルタを備えるフィルタ部と、
前記落射光源により得られる励起光で励起された試料の蛍光を受光するための蛍光撮像部と、
前記蛍光撮像部の前面に配置され、Ｒ、Ｇ、Ｂのいずれかの成分を透過するフィルタ光、若しくはフィルタを介さない透過光とを切り替え可能なカラーフィルタと、
試料を載置する試料台と、
光路上であって試料と対向して配置される対物レンズと、
試料台の裏面側に配置され、試料に対し裏面側から透過照明光を照射するための透過光源と、
前記透過光源からの透過照明光で試料の裏側から照明した明視野像を取得するための明視野撮像部と、
前記透過光源からの透過照明光を消灯若しくは遮断し、前記フィルタ部を光路上に挿入し、前記カラーフィルタで透過光に切り替えて、前記落射光シャッタを開放し前記落射光源からの落射照明光を照射して蛍光撮像部によりモノクロ画像を観察可能な蛍光観察モードと、
一方前記透過光源から透過照明光を照射し、前記落射光シャッタを閉塞して前記落射光源からの落射光を遮断し、前記フィルタ部を光路上から退避し、前記カラーフィルタでＲ、Ｇ、Ｂフィルタ光を順次切り替えて、蛍光撮像部により撮像されたＲ、Ｇ、Ｂ画像を合成しつつ、前記明視野撮像部で明視野像を取得する明視野観察モードと
を切り替え可能な観察モード切替手段と、
前記観察モード切替手段で切り替えられた観察モードに従い、選択された観察モードに応じた撮像条件を変更する観察条件設定手段と、
を備えることを特徴とする蛍光顕微鏡。
【請求項３】
請求項１又は２に記載の蛍光顕微鏡であって、さらに、
前記蛍光撮像部で撮像された蛍光像、及び／又は前記明視野撮像部で撮像された明視野像を表示可能な表示部を備えており、
前記表示部は画像を表示する画像表示領域を複数に分割して、一の画像表示領域に蛍光像を、他の画像表示領域に明視野像を、各々表示可能に構成してなることを特徴とする蛍光顕微鏡。
【請求項４】
請求項３に記載の蛍光顕微鏡であって、
前記観察モード切替手段により明視野観察モードと観察モード切替手段とが切り替えられ、各観察モードにおいてほぼ同じタイミングで各々撮像された明視野像及び蛍光像を前記表示部に表示可能に構成してなることを特徴とする蛍光顕微鏡。
【請求項５】
請求項１から４のいずれか一に記載の蛍光顕微鏡であって、
前記観察条件設定手段が、前記カラーフィルタの挿抜によって発生するピントずれ及び／又は視野ずれを、前記観察モード切替手段で選択された観察モードに応じて調整することを特徴とする蛍光顕微鏡。
【請求項６】
請求項１から５のいずれか一に記載の蛍光顕微鏡であって、
前記観察条件設定手段が、前記観察モード切替手段で選択された観察モードに応じて、撮像される画像の座標位置をそれぞれの観察条件に応じて切り替えるよう構成してなることを特徴とする蛍光顕微鏡。
【請求項７】
請求項１から６のいずれか一に記載の蛍光顕微鏡であって、
前記観察条件設定手段が、前記観察モード切替手段で選択された観察モードに応じて、撮像される画像の拡大倍率をそれぞれの観察条件に応じて切り替えるよう構成してなることを特徴とする蛍光顕微鏡。
【請求項８】
請求項１から７のいずれか一に記載の蛍光顕微鏡であって、
前記観察モード切替手段が、さらに、明視野観察により試料の色情報を取得した後、蛍光観察により得られた蛍光像に該色情報を重ねることでカラー化した蛍光合成画像を結像する蛍光合成観察モードに切り替え可能に構成されてなることを特徴とする蛍光顕微鏡。
【請求項９】
観察対象である試料に蛍光色素を導入し、光学系に配置して、蛍光色素を励起する励起光を試料に照射し、該励起光によって励起されて発される蛍光を蛍光撮像部で受光して蛍光像を結像する蛍光観察、及び、
試料の裏面側から透過照明光を照射し、光学系に配置された明視野撮像部で明視野像を結像する明視野観察
が可能な蛍光顕微鏡であって、
試料に落射照明光を照射するための落射光源と、
前記落射光源の落射照明光を遮断／透過させるための落射光シャッタと、
光路上に配置され、光路に対して挿抜可能なフィルタ部であって、落射光を励起光とするための励起フィルタと、該励起光によって励起されて発される蛍光を透過させつつ励起光をカットする吸収フィルタを備えるフィルタ部と、
前記落射光源により得られる励起光で励起された試料の蛍光を受光するための蛍光撮像部と、
前記蛍光撮像部の前面に配置され、Ｒ、Ｇ、Ｂのいずれかの成分を透過するフィルタ光、若しくはフィルタを介さない透過光とを切り替え可能なカラーフィルタであって、印加電圧に応じてＲ、Ｇ、Ｂの透過分光特性をスイッチング可能な液晶フィルタと、
試料を載置する試料台と、
光路上であって試料と対向して配置される対物レンズと、
試料台の裏面側に配置され、試料に対し裏面側から透過照明光を照射するための透過光源と、
前記透過光源からの透過照明光で試料の裏側から照明した明視野像を取得するための明視野撮像部と、
前記透過光源からの透過照明光を消灯若しくは遮断し、前記フィルタ部を光路上に挿入し、前記液晶フィルタで透過光に切り替えて、前記落射光シャッタを開放し前記落射光源からの落射照明光を照射して蛍光撮像部によりモノクロ画像を観察可能な蛍光観察モードと、
一方前記透過光源から透過照明光を照射し、前記落射光シャッタを閉塞して前記落射光源からの落射光を遮断し、前記フィルタ部を光路上から退避し、前記液晶フィルタでＲ、Ｇ、Ｂフィルタ光を順次切り替えて、蛍光撮像部により撮像されたＲ、Ｇ、Ｂ画像を合成しつつ、前記明視野撮像部で明視野像を取得する明視野観察モードと
を切り替え可能な観察モード切替手段と、
前記観察モード切替手段で切り替えられた観察モードに従い、選択された観察モードに応じた撮像条件を変更する観察条件設定手段と、
前記蛍光撮像部で撮像された蛍光像、及び／又は前記明視野撮像部で撮像された明視野像を表示可能な表示部と、
を備えており、
前記観察モード切替手段が、さらに、明視野観察により試料の色情報を取得した後、蛍光観察により得られた蛍光像に該色情報を重ねることでカラー化した蛍光合成画像を結像する蛍光合成観察モードに切り替え可能に構成されており、
前記表示部が画像表示領域を４つに分割して、Ｒ、Ｇ、Ｂ成分の蛍光像、及びこれらを合成してカラー化した蛍光合成画像を、各々画像表示領域に表示可能に構成してなることを特徴とする蛍光顕微鏡。
【請求項１０】
請求項１から９のいずれか一に記載の蛍光顕微鏡であって、
前記観察モード切替手段が、さらに、透明な試料又は反射試料の位相あるいは光路差に基づき位相差像を結像する位相差観察モードに切り替え可能に構成されてなることを特徴とする蛍光顕微鏡。
【請求項１１】
請求項１から１０のいずれか一に記載の蛍光顕微鏡であって、
前記観察モード切替手段が、さらに、無染色の試料を光が通過する際の屈折率の違い、あるいは試料表面の形状による光路差に基づき明暗のコントラストに変えて観察する微分干渉観察モードに切り替え可能に構成されてなることを特徴とする蛍光顕微鏡。
【請求項１２】
観察対象である試料に蛍光色素を導入し、光学系に配置して、蛍光色素を励起する励起光を試料に照射し、該励起光によって励起されて発される蛍光を蛍光撮像部で受光して蛍光像を結像する蛍光観察、及び、
試料の裏面側から透過照明光を照射し、光学系に配置された明視野撮像部で明視野像を結像する明視野観察
が可能な蛍光顕微鏡の操作方法であって、
透過光源からの透過照明光を消灯若しくは遮断し、フィルタ部を光路上に挿入し、カラーフィルタで透過光に切り替えて、落射光シャッタを開放し落射光源からの落射照明光を照射して蛍光撮像部によりモノクロ画像を観察可能な蛍光観察モード、又は
透過光源から透過照明光を照射し、落射光シャッタを閉塞して落射光源からの落射光を遮断し、フィルタ部を光路上から退避し、カラーフィルタでＲ、Ｇ、Ｂフィルタ光を順次切り替えて、蛍光撮像部により撮像されたＲ、Ｇ、Ｂ画像を合成しつつ、明視野撮像部で明視野像を取得する明視野観察モード
のいずれかを選択させる工程と、
選択された観察モードに応じて、これに応じた撮像条件を変更する工程と、
を含むことを特徴とする蛍光顕微鏡の操作方法。
【請求項１３】
請求項１２に記載の蛍光顕微鏡の操作方法であって、さらに、
選択された観察モードに応じて、これに応じた撮像条件を変更すると共に、カラーフィルタの挿抜によって発生するピントずれ及び／又は視野ずれを、選択された観察モードに応じて調整する工程を含むことを特徴とする蛍光顕微鏡の操作方法。
【請求項１４】
観察対象である試料に蛍光色素を導入し、光学系に配置して、蛍光色素を励起する励起光を試料に照射し、該励起光によって励起されて発される蛍光を蛍光撮像部で受光して蛍光像を結像する蛍光観察、及び、
試料の裏面側から透過照明光を照射し、光学系に配置された明視野撮像部で明視野像を結像する明視野観察
が可能な蛍光顕微鏡の操作プログラムであって、
透過光源からの透過照明光を消灯若しくは遮断し、フィルタ部を光路上に挿入し、カラーフィルタで透過光に切り替えて、落射光シャッタを開放し落射光源からの落射照明光を照射して蛍光撮像部によりモノクロ画像を観察可能な蛍光観察モード、又は
透過光源から透過照明光を照射し、落射光シャッタを閉塞して落射光源からの落射光を遮断し、フィルタ部を光路上から退避し、カラーフィルタでＲ、Ｇ、Ｂフィルタ光を順次切り替えて、蛍光撮像部により撮像されたＲ、Ｇ、Ｂ画像を合成しつつ、明視野撮像部で明視野像を取得する明視野観察モード
のいずれかを選択する機能と、
選択された観察モードに応じて、これに応じた撮像条件を変更する機能と、
をコンピュータに実現させることを特徴とする蛍光顕微鏡操作プログラム。
【請求項１５】
請求項１４に記載の蛍光顕微鏡操作プログラムであって、さらに、
カラーフィルタの挿抜によって発生するピントずれ及び／又は視野ずれを、選択された観察モードに応じて調整する機能をコンピュータに実現させることを特徴とする蛍光顕微鏡操作プログラム。
【請求項１６】
請求項１４又は１５に記載されるプログラムを格納したコンピュータで読み取り可能な記録媒体又は記録した機器。